(57)【特許請求の範囲】
【請求項１】
内部銃身及び外部銃身を備え、
当該外部銃身は、空気吸入口と空気排出口を有し、
後部ブロック、前部ブロック、ハンマーブロックおよびハンマーブロックスプリングが、前記内部銃身と前記外部銃身との間に配置され、
前記ハンマーブロックスプリングの一端は、前記後部ブロックに取り付けられ、前記ハンマーブロックスプリングの他端は、前記ハンマーブロックに取り付けられ、
圧縮された高圧空気は、前記空気吸入口から案内されて前記ハンマーブロックを動かし、前記圧縮された高圧空気は、前記ハンマーブロックが前記後部ブロックを叩く際に前記空気排出口から解放され、前記ハンマーブロックスプリングは、前記ハンマーブロックを押し戻して前記前部ブロックを叩き、射撃後の反動を模倣するための衝撃を発生させることを特徴とするエアソフトガン。
【請求項２】
外輪と内輪が前記ハンマーブロックに配置されて前記外部銃身の内面と前記内部銃身の外面とにそれぞれ接触し、前記前部ブロック、前記外輪及び前記内輪によって前記外部銃身内にチェンバを形成し、前記ハンマーブロックは、前記前部ブロックと前記後部ブロックとの間で前記内部銃身に沿って動くことができ、前記ハンマーブロックは、前記外輪を配置する前記外面に傾斜した溝を含む請求項１のエアソフトガン。
【請求項３】
遅延機構をさらに備え、当該遅延機構には、
前記エアソフトガンの引き金が引かれている間は開いて前記圧縮された高圧空気を出力する空気弁と、
前記空気弁を開けたままにするために前記空気弁に対して下向きに動かされる栓と、
前記後部ブロックに向かってスライドする間に前記ハンマーブロックによって押される圧潰性バネと、
前記圧潰性バネが押されると前記栓を持ち上げる、前記圧潰性バネに連結されたリリーフレバーと、
前記栓が持ち上げられると、前記空気弁を解放して閉じるバルブスプリングと、が含まれる請求項１のエアソフトガン。
【発明の詳細な説明】
【技術分野】
【０００１】
本発明は、エアソフトガンに関し、特に、リアリティが向上したエアソフトガンに関する。
【背景技術】
【０００２】
サバイバルゲームはすでに、人々がよく行うレージャー活動となっている。人々は、手におもちゃの銃を持ち、実際の戦場の状況を模倣することができ、他人とチーム戦を行い、ゲームの暗黙の理解を深め、エンターテイメント効果を得ることができる。おもちゃの銃は、通常、動力源として空気を用いて空気による射撃効果を達成してフレームの中の弾丸を駆動し、動力源は、射撃の際にカートリッジの中のガスシリンダーだけを用いておもちゃの銃に提供し続けることができる。
【０００３】
市場には、固いプラスチックＢＢ発射体を発砲させることができるおもちゃに対するかなりの要求がある。そのようなおもちゃのカテゴリーは、当該技術分野では、いわゆる「エアソフトガン」として公知である。
ＢＢ発射体は、固いプラスチックから成るが、質量が小さく任意の速度での推進力が小さいため、金属のＢＢ発射体よりも危険度が低い。そのため、エアソフトのプレーヤは、エアソフトのゲームや競技会においてエアソフトガンを他のプレーヤに対して発砲させることがよくあるが、（目の保護が十分なされている限り）重大な怪我をすることはない。
【０００４】
さらに、最新の仮想現実による戦場射撃訓練は、人気のレクリエーション活動のひとつであり、プレーヤは、本物の銃で射撃するかのような感覚を追求するので、トリガを引くことを可能とすることが欠かせない要素のひとつとなっている。
【０００５】
したがって、上記の問題を解決する方法が、本発明の発明者によって解決されるべき技術的課題である。
【発明の概要】
【発明が解決しようとする課題】
【０００６】
ガスシャントシステムを備えたエアソフトガンを提供することが、本発明のひとつの目的である。前記ガスシャントシステムは、圧縮された高圧空気を分け、発射体を送り出し案内してハンマーブロックを動かし、射撃後の反動を模倣するための衝撃を生み出す。
【０００７】
本発明の他の目的は、弾道をより安定させ射程距離及び精度を強化するためのデュアルホップアップシステムを備えるエアソフトガンを提供することである。
【０００８】
再充填システムを備えるエアソフトガンを提供することが本発明のひとつの目的である。前記再充填システムは、２つの異なるカートリッジを収容するためのデュアルマガジン組立体を備える。第１のマガジンは、球形弾を収容することができ、第２のマガジンは、薬きょう付き球形弾を収容することができる。
【０００９】
出力される圧縮された高圧空気の供給量をほぼ一定にして、操作中の安全性を強化することができるガス化システムを備えるエアソフトガンを提供することが、本発明のひとつの目的である。
【課題を解決するための手段】
【００１０】
上記を実施するために、本発明は、デュアルホップアップ（ＤＨＵ）システム、リコイルシステム、ガス化システム、再充填システム及びガスシャントシステムを備えるエアソフトガンを開示する。
エアソフトガンは、内部銃身と外部銃身をさらに備える。前記外部銃身は、空気吸入口と空気排出口を有し、後部ブロック、前部ブロック、ハンマーブロックが、前記空気吸入口と前記空気排出口との間に配置される。ハンマーブロックスプリングは、前記内部銃身の前記後部ブロックの内面に取り付けられる。前記後部ブロックの対向面の前記ハンマーブロックスプリングの一端には、前記ハンマーブロックが取り付けられる。前記圧縮された高圧空気は、前記空気吸入口から案内されて前記ハンマーブロックを動かす。
前記圧縮された高圧空気は、前記ハンマーブロックが前記後部ブロックを叩くと、前記空気排出口から解放される。前記ハンマーブロックスプリングは、前記ハンマーブロックを押し戻して前記前部ブロックを叩いて、反動を模倣するための衝撃を発生させる。
【００１１】
前記デュアルホップアップシステムは、発射体を回転させてその射程距離を延ばすために前記エアソフトガンのボア近くの前記内部銃身の内面に位置付けられた第１のボス部と、前記発射体の回転軸を補正して弾道をより安定させるために前記内部銃身の内面及び前記第１のボス部の近隣に位置付けられた第２のボス部とを含む。
【００１２】
前記ガス化システムは、圧縮ガスカートリッジと気化チューブを含む。前記気化チューブの一端は、前記圧縮ガスカートリッジに対して露出し、他端は、出力される圧縮された高圧空気の供給量を一定にするためにそのほぼ中心部近くの前記圧縮ガスカートリッジの中へと延びる。前記気化チューブと前記圧縮ガスカートリッジ内部の気体空気との距離は同じであり、気体空気の圧力を一定にして操作中の安全性を強化する。
【００１３】
さらに、本発明の利用可能性の範囲は、以下の詳細な説明から明らかとなる。しかしながら、詳細な説明及び特定の例や本発明の好適な実施形態は、例示のためだけのものであり、当業者は、この詳細な説明から本発明の精神及び範囲内の様々な変更及び修正が明らかとなる。
【００１４】
本発明は、例示目的のためだけに以下に示された詳細な説明からよりよく理解されるが、限定されるものではない。
【図面の簡単な説明】
【００１５】
【図１】本発明に係るエアソフトガンの斜視図である。
【図２Ａ】第１のマガジンが用いられる際の本発明に係る再充填システムの図である。
【図２Ｂ】第１のマガジンが用いられる際の本発明に係る再充填システムの図である。
【図２Ｃ】第２のマガジンが用いられる際の本発明に係る再充填システムの図である。
【図２Ｄ】第２のマガジンが用いられる際の本発明に係る再充填システムの図である。
【図２Ｅ】第２のマガジンが用いられる際の本発明に係る再充填システムの図である。
【図３Ａ】本発明に係るデュアルホップアップ（ＤＨＵ）システムの断面図である。
【図３Ｂ】本発明に係るデュアルホップアップ（ＤＨＵ）システムの断面図である。
【図４Ａ】本発明に係る反動の模倣の断面図である。
【図４Ｂ】本発明に係る反動の模倣の断面図である。
【図４Ｃ】本発明に係る反動の模倣の断面図である。
【図４Ｄ】本発明に係る反動の模倣の断面図である。
【図５Ａ】本発明に係るガス化システムの図である。
【図５Ｂ】本発明に係るガス化システムの図である。
【図５Ｃ】本発明に係るガス化システムの図である。
【図５Ｄ】本発明に係るガス化システムの図である。
【発明を実施するための形態】
【００１６】
本発明の目的、構成、特徴及び機能は、添付した図面と共に以下の詳細な説明を通して評価され、より完全に理解されるものである。
【００１７】
図１を参照する。本発明のエアソフトガンは、デュアルホップアップ（ＤＨＵ）システム２を備えた銃本体１と、反動システム３と、ガス化システム４と、再充填システム５と、ガスシャントシステム６とを含む。
【００１８】
図２Ａ〜図２Ｅを参照する。本発明の再充填システム５は、２つの異なるカートリッジを収容するためのデュアルマガジン組立体５０を含む。第１のマガジン５０ａは、球形弾９０を収容し、第２のマガジン５０ｂは、薬きょう付き球形弾９０を収容することができる。
【００１９】
図２Ａ〜図２Ｂを参照する。図２Ａ〜図２Ｂはそれぞれ、第１のマガジンが用いられる際の本発明に係る再充填システムの図である。
【００２０】
第１のマガジン５０ａは、一端が閉端部５１ａである中空部材であり、その中に球形弾を収容することができる。マガジンスプリング５２ａは、第１のマガジン５０ａにおける閉端部５１ａの内面に取り付けられる。
閉端部５１ａの対向面のマガジンスプリング５２ａの端部には、球形弾９０を押すマガジンフォロワ５３ａが取り付けられる。第１のマガジン５０ａは、球形弾９０を保持するための中空スライダ５４を含む。球形弾９０は、スライダ５４によって提供された開口部を通って第１のマガジン５０ａから離れて案内される。
【００２１】
第１の装填発射機構７０ａには、薬きょう先端部６０ａが含まれる。薬きょう先端部６０ａは、開口部６１ａを有する貫通穴６２ａを有する。第１の装填発射機構７０ａを押すと、スライダ５４よりも若干外側にある第１の球形弾９０は、第１の装填発射機構７０ａの薬きょう先端部６０ａの開口部６１ａに実装される。スライダ５４は、第１の装填発射機構７０ａの側壁に沿って第１のマガジン５０ａへと下に向かって押される。そして、球形弾９０は、ボア８０に押し込められて再充填される。
【００２２】
射撃後球形弾９０は発射され、薬きょう先端部６０ａを含む第１の装填発射機構７０ａは引き戻されて、ボア８０から離れる。スライダ５４は、第１のマガジン５０ａの側壁に沿って上方に動く。そして、第１のマガジン５０ａ内部の球形弾９０のうちのひとつが、図２Ａに示したように、スライダ５４の上端部の若干外へと押される。そのため、弾丸は、ＢＢ弾、スチールボール又はペイントボールなどの球形弾９０であり、エアソフトガンは、リアリティを増加させるために、実際の手動式遊底を備えた単発ライフルのような再充填動作を模倣することができる。
【００２３】
図２Ｃ〜図２Ｅを参照する。図２Ｃ〜図２Ｅはそれぞれ、第２のマガジンが用いられる際の本発明に係る再充填システムの図である。
【００２４】
本実施形態において、第２のマガジン５０ｂは、第１のマガジン５０ａに隣接して配置される。また、第２のマガジン５０ｂも、一端が閉端部５１ｂである中空部材であり、その中に薬きょう６０付き球形弾９０を収容することができる。マガジンスプリング５２ｂは、第２のマガジン５０ｂの閉端部５１ｂの内面に取り付けられる。閉端部５１ｂの対向面のマガジンスプリング５２ｂの端部には、薬きょう６０付き球形弾９０を押すマガジンフォロワ５３ｂが取り付けられる。薬きょう６０付き球形弾９０は、その上部開口部を通って第２のマガジン５０ｂから離れて案内される。
【００２５】
第２の装填発射機構７０ｂは、挟持部７１ｂ及び薬きょうエジェクタ７２ｂを前端部に含む。第２の装填発射機構７０ｂが押されると、薬きょう６０付き第１の球形弾９０は、ボア８０の方へ押されボア８０の中に押し込まれる。弾丸溝６１が狭持部７１ｂによって掴まれて再充填される。薬きょう６０は、貫通穴６２を有する。
【００２６】
射撃後球形弾９０は発射され、第２の装填発射機構７０ｂは、薬きょう６０と共に、ボア８０から離れるように引き戻される。薬きょう６０は、薬きょうエジェクタ７２ｂによって取り出される。そのため、本実施形態では、エアソフトガンは、リアリティを増加させるために、実際の手動式遊底を備えた単発ライフルのような再充填動作及び取り出し動作を模倣することができる。
【００２７】
さらに、本発明の再充填システム５は、２つの異なるカートリッジを収容するためのデュアルマガジン組立体５０を含む。各カートリッジは、異なる装填発射機構である、第１の装填発射機構７０ａ及び第２の装填発射機構７０ｂとして用いられる。ユーザは、どちらのカートリッジが用いられるかによって装填発射機構を変えることができる。
【００２８】
図３Ａ〜図３Ｂを参照する。図３Ａ〜図３Ｂは本発明に係るデュアルホップアップ（ＤＨＵ）システムの断面図である。
【００２９】
デュアルホップアップ（ＤＨＵ）システム２は、内部銃身２０の内面に第１のボス部２１及び第２のボス部２２を含む。第１のボス部２１は、ボア８０の近く、すなわち、図３Ａの右側の内部銃身２０の内面に配置される。球形弾９０が内部銃身２０に入ると、第１のボス部２１と球形弾９０との間に起きた摩擦によって球形弾９０が回転し、射程距離が延びる。
図３Ａに示したように、球形弾９０は、反時計回りに回転する。第２のボス部２２は、内部銃身２０の内面に配置され、第１のボス部２１に隣接する。第２のボス部２２の機能は、第１のボス部２１の機能とは異なる。球形弾９０が内部銃身２０に入る時、初速度は非常に速くなる。第１のボス部２１の摩擦の間、摩擦点は、球形弾９０の回転軸をシフトさせるために球形弾９０の中心点でなくてもよいが、弾道は不安定となる。そのため、第２のボス部２２によって、球形弾９０の回転軸を修正して、弾道、特に水平弾道をより安定させる。
【００３０】
図３Ｂを参照する。第１のボス部２１には、球形弾９０を回転させるための単一の突起部が含まれる。そして、第２のボス部２２には、複数の突起部が含まれる。図３Ｂに示したように、第２のボス部２２には、２つの突起部が含まれ、球形弾９０がより安定して回転し飛行するようにする。突起部の材料は、ゴムなどの弾性材料である。突起部の高さは、突起部と球形弾９０との間の摩擦を修正して射程距離と精度を強化するために調整可能であってもよい。
【００３１】
図４Ａ〜図４Ｄを参照する。図４Ａ〜図４Ｄは、本発明に係る反動の模倣の断面図である。
【００３２】
エアソフトガンの引き金を引くと、遅延機構が使用可能となる。遅延機構には、空気弁３０、栓３１、圧潰性バネ３２、リリーフレバー３３、バルブスプリング３５が含まれる。空気弁３０は、エアソフトガンの引き金が引かれている間は開いており、栓３１は、空気弁３０に対するように下方に動かされて空気弁３０を開いた状態に保つ。
圧縮された高圧空気は、ガスシャントシステム６によって逸らされる。ガスシャントシステム６は、エアソフトガンの銃本体１と一体化している。圧縮された高圧空気は分けられて、球形弾９０を送り出し、空気吸入口１１まで案内する。
【００３３】
外部銃身１０は、空気吸入口１１と空気排出口１２を有する。後部ブロック２３、前部ブロック２９及びハンマーブロック２４は、内部銃身２０と外部銃身１０との間に配置される。ハンマーブロック２４は、内部銃身２０に置かれるスリーブ部材である。ハンマーブロックスプリング２５は、内部銃身２０における後部ブロック２３の内面に取り付けられる。後部ブロック２３の対向面のハンマーブロックスプリング２５の端部には、ハンマーブロック２４が取り付けられる。
外輪２６及び内輪２７は、ハンマーブロック２４に配置され、外部銃身１０の内面及び内部銃身２０の外面とそれぞれ接触する。チャンバ２８は、前部ブロック２３、外輪２６及び内輪２７によって外部銃身１０の中に形成されている。ハンマーブロック２４は、前部ブロック２３と後部ブロック２３との間の内部銃身２０に沿って動くことができる。圧縮された高圧空気が空気吸入口１１からチャンバ２８内に案内されると、ハンマーブロック２４が押されて内部銃身２０に沿ってスライドする。ハンマーブロックスプリング２５は、押圧され、銃本体１が反動力によって僅かに前方に移動する。
【００３４】
ハンマーブロック２４が後部ブロック２３に向かってスライドし、圧潰性バネ３２の圧潰性スライダ３２１を押すと、圧潰性スライダ３２１は、圧潰性バネ３２の傾斜面３２２に沿って下方向に移動する。圧潰性バネ３２は、後方に移動し、リリーフレバー３３を押して栓３１を持ち上げる。
栓３１が持ち上げられると、空気弁３０は、バルブスプリング３５によって解放され閉められる。圧縮された高圧空気は、供給が停止される。圧潰性バネ３２の傾斜面３２２によって、ハンマーブロック２４は、スライドして、遅延機構に衝突することなく、圧潰性バネ３２の圧潰性スライダ３２１を押す。さらに、遅延機構によって、圧縮された高圧空気は、球形弾９０が送り出された後もやはり供給されて、ハンマーブロック２４を押す。
【００３５】
遅延機構が解放されると、ハンマーブロック２４は、やはりスライドして後部ブロック２３を叩き衝撃を発生させる。チャンバ２８内の圧縮された高圧空気は、図４Ｃに示したように空気排出口１２によって解放される。チャンバ２８内の圧縮された高圧空気が解放されると、ハンマーブロックスプリング２５は、圧縮したスプリングの力によってハンマーブロック２４を後方に押す。
銃本体１は、反動力によって僅かに後方へと移動する。ハンマーブロック２４は、やはりスライドして、前部ブロック２９を叩き衝撃を発生させる。そのため、これらの衝撃及び反動力によって、エアソフトガンは、実際の銃のように射撃後の反動を模倣してリアリティを増加させることができる。
【００３６】
ハンマーブロック２４は、外面に傾斜溝２４１を含み、外輪２６を配置する。ハンマーブロック２４が後部ブロック２３に向かってスライドする間に、外輪２６は、傾斜溝２４１に沿って動き、気密性を高める。気密性を低下させる外輪２６の温度によって起こる変形は、克服される。反動の動作も改善される。
【００３７】
図５Ａ〜図５Ｄを参照する。図５Ａ〜図５Ｄはそれぞれ、本発明に係るガス化システムの図である。
【００３８】
エアソフトガンは、圧縮ガスカートリッジ４０によって動く。圧縮ガスカートリッジ４０は、液体空気４２を含む。液体空気４２は、低位置に流れる傾向にある。そのため、エアソフトガンを使用する角度は制限される。エアソフトガンの銃口が低いか又は高いと、液体空気４２は、排出口またはガスカートリッジ４０の底部に留まることがある。それにより、液体空気４２が過剰または過少に出力される。これは、エアソフトガンにとって、危険であり、不安定である。
【００３９】
ガス化システム４は、圧縮ガスカートリッジ４０及び気化チューブ４１を含む。気化チューブ４１の一端は、圧縮ガスカートリッジ４０に対して露出し、他端は、その中心部の近くの均衡点の圧縮ガスカートリッジ４０の中に延びる。液体空気４２との距離は、圧縮ガスカートリッジ４０の各角度においてほぼ同じなので、気体空気４３の圧力は一定である。そのため、圧縮ガスカートリッジ４０の角度がいくつであっても、出力される圧縮された高圧空気の供給量はほとんど一定である。
【００４０】
図５Ａ〜図５Ｄを参照する。圧縮ガスカートリッジ４０は、それぞれ１８０°、９０°、２７０°に留まる。気化チューブ４１がないと、液体空気４２が出口に対して遠すぎるために、図５Ｂ及び５Ｃに示したように出力される圧力が低下しすぎることがある。液体空気４２は、図５Ｄに示すように気化しないで直接漏れることもある。本発明の気化チューブ４１により、気化チューブ４１と液体空気４２との間の距離は、各角度においてほぼ同じである。気体空気４３の圧力は一定である。出力される圧縮された高圧空気の供給量は、ほぼ一定である。特に、図５Ｄに示した２７０°では、気化チューブ４１は、漏らすことなく液体空気４２を保持する。そのため、操作中の安全性が強化される。
【００４１】
このように本発明を説明してきたが、多くの方法において本発明を変更してもよいことは明らかである。そのような変更は、本発明の精神及び範囲から逸脱するものと見なされるものではなく、そのような全ての修正は、当業者には明らかなように、以下の特許請求の範囲に含まれることを意図するものである。
【符号の説明】
【００４２】
１  銃本体
２  デュアルホップアップシステム
３  反動システム
４  ガス化システム
５  再充填システム
６  ガスシャントシステム
【図１】
0005899233.tif 000002
【図２Ａ】
0005899233.tif 000003
【図２Ｂ】
0005899233.tif 000004
【図２Ｃ】
0005899233.tif 000005
【図２Ｄ】
0005899233.tif 000006
【図２Ｅ】
0005899233.tif 000007
【図３Ａ】
0005899233.tif 000008
【図３Ｂ】
0005899233.tif 000009
【図４Ａ】
0005899233.tif 000010
【図４Ｂ】
0005899233.tif 000011
【図４Ｃ】
0005899233.tif 000012
【図４Ｄ】
0005899233.tif 000013
【図５Ａ】
0005899233.tif 000014
【図５Ｂ】
0005899233.tif 000015
【図５Ｃ】
0005899233.tif 000016
【図５Ｄ】
0005899233.tif 000017